(57)【要約】      （修正有）【課題】正倒立用の各移動弁を用いた正倒立ポンプ機構において、正倒立変更後も、変更前の移動弁と弁座との吸着が継続する場合に、この吸着状態を積極的に解除する。【解決手段】流入通路選択作動部１０，１１と上流弁作用部３ａ，８との間にピストン４の移動に応じて容積が変化するシリンダ内上流側収納空間域２２を設けて、放出操作の際に、上流側収納空間域の内容物を流入通路選択作動部に逆流させる（Ｂ方向）。また、正立状態から図示の倒立状態への変更にともない、開口部１１ａの方へ落下する移動弁１４が、正立時、弁座１０ｂに当接していた移動弁１３に衝突するようにした。内容物逆流作用や移動弁衝突作用により、倒立状態への変更初期に弁座１０ｂに吸着されたままの移動弁１３は図示下方に落下し、放出操作終了の際の容器内部からシリンダ内下流側空間域２１への内容物流入経路（Ｄ方向の流路）が確保される。【選択図】図５
2009143617.tif 000002
【特許請求の範囲】
【請求項１】
操作部と連動するピストンのシリンダ内での移動に基づく弁作用により当該シリンダ内の下流側収納空間域の内容物を外部空間に放出するポンプ作動部と、
前記シリンダへの正立流入通路および、第１の移動弁の自重に基づく落下によって当該正立流入通路の一部を開閉する第１の弁構造ならびに、当該シリンダへの倒立流入通路および、第２の移動弁の自重に基づく落下によって当該倒立流入通路の一部を開閉する第２の弁構造を備えた流入通路選択作動部と、からなる正倒立ポンプ機構であって、
前記ピストンは、
前記弁作用を呈する上流弁作用部および下流弁作用部のそれぞれを備え、
前記シリンダは、
前記上流弁作用部の上流側の内部空間に、前記正立流入通路および前記倒立流入通路のそれぞれと連通し、かつ前記ピストンの移動に応じて容積が変化する上流側収納空間域を備え、
操作モード設定操作時の前記ピストンの移動により、前記上流弁作用部が閉じた状態で、前記上流側収納空間域の内容物が前記正立流入通路および前記倒立流入通路の側に逆送される、
ことを特徴とする正倒立ポンプ機構。
【請求項２】
前記第１の弁構造および前記第２の弁構造は、
全体として、前記第１の移動弁に対する第１の開口部が形成された第１の弁座と、前記第２の移動弁に対する第２の開口部が当該第１の開口部と対向する形で形成された第２の弁座とを有し、
当該第１の開口部および当該第２の開口部それぞれの大きさおよび、当該開口部同士の間隔が、
正立状態と倒立状態の変更にともなって、当該開口部の方に落下する当該第１または当該第２の移動弁の一方が当該変更前の落下位置に残ったままの当該第１または当該第２の移動弁の他方に衝突する、態様に設定されたものである、
ことを特徴とする請求項１記載の正倒立ポンプ機構。
【請求項３】
操作部と連動するピストンのシリンダ内での移動に基づく弁作用により当該シリンダ内の収納空間域の内容物を外部空間に放出するポンプ作動部と、
前記シリンダへの正立流入通路および、第１の移動弁の自重に基づく落下によって当該正立流入通路の一部を開閉する第１の弁構造ならびに、当該シリンダへの倒立流入通路および、第２の移動弁の自重に基づく落下によって当該倒立流入通路の一部を開閉する第２の弁構造を備えた流入通路選択作動部と、からなる正倒立ポンプ機構において、
前記第１の弁構造および前記第２の弁構造は、
全体として、前記第１の移動弁に対する第１の開口部が形成された第１の弁座と、前記第２の移動弁に対する第２の開口部が当該第１の開口部と対向する形で形成された第２の弁座とを有し、
当該第１の開口部および当該第２の開口部それぞれの大きさおよび、当該開口部同士の間隔が、
正立状態と倒立状態の変更にともなって、当該開口部の方に落下する当該第１または当該第２の移動弁の一方が当該変更前の落下位置に残ったままの当該第１または当該第２の移動弁の他方に衝突する、態様に設定されたものである、
ことを特徴とする正倒立ポンプ機構。
【請求項４】
請求項１乃至３の何れかに記載の正倒立ポンプ機構を備え、かつ、内容物を収容した、
ことを特徴とするポンプ式製品。
【発明の詳細な説明】
【技術分野】
【０００１】
本発明は、操作部と連動するピストンのシリンダ内での移動に基づく弁作用により当該シリンダ内の下流側収納空間域・収納空間域の内容物を外部空間に放出するポンプ作動部と、
前記シリンダへの正立流入通路および、第１の移動弁の自重に基づく落下によって当該正立流入通路の一部を開閉する第１の弁構造ならびに、当該シリンダへの倒立流入通路および、第２の移動弁の自重に基づく落下によって当該倒立流入通路の一部を開閉する第２の弁構造を備えた流入通路選択作動部と、
からなる正倒立ポンプ機構に関する。
【０００２】
この正倒立ポンプ機構において正常な内容物放出動作が担保されるためには、第１，第２の各移動弁が容器の正立・倒立状態に応じる形で確実に落下してそれぞれの弁作用部分の開閉状態を真正に切り換えることが必要とされ、本発明はこのような要請に応えるものである。
【０００３】
なお、本明細書における「上」，「下」の語はポンプ式製品の正立状態（図１，図２，図３，図７参照）における位置関係のものとしている。
【０００４】
したがって、ポンプ式製品の倒立状態を示す図４，図５，図６，図８における実際の上下位置と、明細書中の「上」，「下」を付した用語（例えば上側ピストン部材，下側ピストン部材，上側ブッシュ，下側ブッシュ，上方ボール弁，下方ボール弁など）の上下の概念とは逆の関係になっている。ただし、「上流」および「下流」の用語は容器本体の内容物が外部空間に放出される際の全体的な流れにおけるものであり、ポンプ式製品の正立／倒立に依存しない。
【０００５】
また、「静止モード」とは操作ボタンがその初期位置（上動位置）に保持されて容器内容物が外部空間に放出されない状態のことであり、「操作モード」とは操作ボタンが押圧されてその初期位置から移動している状態のことである。
【背景技術】
【０００６】
上述の、操作部と連動するピストン（ステム）のシリンダ内での移動に基づくポンプ作動部と、シリンダへの正立流入通路の一部を開閉する第１の弁構造および当該シリンダへの倒立流入通路の一部を開閉する第２の弁構造からなる流入通路選択作動部と、を備えた正倒立ポンプ機構は、本件出願人がすでに提案している（特許文献１参照）。
【０００７】
ここで、ポンプ作動部のピストンには下流弁作用部が形成され、シリンダの内容物流入側には上流弁作用部が形成されている。そして周知のポンプ作動により、下流弁作用部と上流弁作用部との間のシリンダ内部に収納されている内容物が、操作部の次の押圧操作時に外部空間へ放出される。
【０００８】
流入通路選択作動部の第１，第２の弁構造はそれぞれ自重で落下する移動弁とそれを受ける弁座とからなっている。また、各弁座には開口部が形成されている。
【０００９】
この正倒立ポンプ機構の正立モードでは第２の弁構造が閉状態となって倒立流入通路とシリンダとの間が遮断され、また、倒立モードでは第１の弁構造が閉状態となって正立流入通路とシリンダとの間が遮断される。
【００１０】
第１，第２の弁構造は、ポンプ式製品の正倒立状態の選択的設定に応じて、その一方が「開」に移行すれば他方が「閉」に移行するといった形のいわばシーソー的な動作変化を呈する。
【特許文献１】特開２００５−２８８２１０号公報
【発明の開示】
【発明が解決しようとする課題】
【００１１】
本件出願人は、上述の正倒立ポンプ機構を備えたポンプ式製品の動作を検証したところ、その内容物放出状態が不安定（例えば内容物である液の吸い上げや噴射ができない）になるケースを確認した。
【００１２】
そして正倒立ポンプ機構の内部構造などの考察の結果、この不安定さの原因として、上述の流入通路選択作動部における第１，第２の弁構造の各移動弁がポンプ容器の正立・倒立の変更に応じる形で確実に落下していないことを知見するにいたった。
【００１３】
すなわち、ポンプ容器をその正倒立の（任意の）一方の状態から他方の状態に変更したときに、当該変更前までは弁座に当接し閉状態となっていた移動弁が変更後も当該弁座に吸着されて閉状態のままに保持される事例がみられた。
【００１４】
この吸着現象の発生理由としては、正倒立変更前に移動弁と弁座との間の当接部分近傍に存在していた内容物の正倒立変更後の表面張力や、移動弁と弁座との当接部分近傍における内容物の定着化，固化などが考えられる。
【００１５】
移動弁の吸着状態がポンプ容器の正倒立変更後も継続すると、本来は当該移動弁が落下してその弁座との間が「開」状態に変化して操作ボタン押圧後の復帰動作の際に容器本体の内容物がピストン収容のシリンダ内部（＝シリンダ内の下流弁作用部と上流弁作用部との間の内容物収納空間域）に流入する、といった次の必須動作ステップが阻止されることになる。なお、この内容物収納空間域に収納されている内容物が次回の操作時に外部空間へ放出される。
【００１６】
この内容物の流入動作が阻止される結果、次の放出動作のために必要な内容物が容器本体からシリンダ内部の内容物収納空間域に供給されず、放出動作不良の要因となってしまう。
【００１７】
本発明は、正倒立ポンプ機構において、
(11)上記内容物収納空間域の構成要素である上流弁作用部を、特許文献１のようにシリンダの内容物流入側ではなく、シリンダ内を移動するピストンに形成することにより、シリンダ内部のピストン上流側に内容物収納域としての空間域を確保し、
(12)上記流入通路選択作動部における第１，第２の移動弁および第１，第２の弁座を、正倒立変更後に弁座の方に落下してくる一方の移動弁が正倒立変更前の状態で弁座に吸着したままの他方の移動弁に衝突する、
態様のものである。
【００１８】
そして、これら(11)，(12)の各態様に応じ、
(21)操作モード設定時のピストンの移動でシリンダ内上流側空間域の内容物が第１，第２の移動弁に向かって（本来の流れとは逆方向に）駆動され、このときのいわば逆流の勢いにより、正倒立変更前の吸着状態のままの移動弁は吸着解除の方向へと押されて自重で落下し、
(22)移動弁同士の衝突により、正倒立変更前の吸着状態のままの移動弁はその吸着が解除されて自重で落下していく。
【００１９】
本発明は、このように正倒立変更前の吸着状態が継続している移動弁を、操作モード設定操作にともなう当該移動弁側への内容物の逆流や、正倒立変更にともなう本来の落下作動を呈する他の移動弁からの衝突力で吸着解除して落下させ、これにより正倒立ポンプ機構の流入通路選択作動部の正立流入通路および倒立流入通路それぞれに設けられた各弁構造の誤作動をなくす、ことを目的とする。
【課題を解決するための手段】
【００２０】
本発明は、以上の課題を次の正倒立ポンプ機構を用いて解決する。
（１）操作部（例えば後述の操作ボタン１）と連動するピストン（例えば後述のピストン４）のシリンダ（例えば後述のシリンダ５）内での移動に基づく弁作用により当該シリンダ内の下流側収納空間域（例えば後述のシリンダ内下流側空間域２１）の内容物を外部空間に放出するポンプ作動部と、
前記シリンダへの正立流入通路および、第１の移動弁（例えば後述の下方ボール弁１４）の自重に基づく落下によって当該正立流入通路の一部を開閉する第１の弁構造（例えば後述の弁座１１ｂ）ならびに、当該シリンダへの倒立流入通路および、第２の移動弁（例えば後述の上方ボール弁１３）の自重に基づく落下によって当該倒立流入通路の一部を開閉する第２の弁構造（例えば後述の弁座１０ｂ）を備えた流入通路選択作動部と、からなる正倒立ポンプ機構であって、
前記ピストンは、
前記弁作用を呈する上流弁作用部（例えば後述の横孔部３ａ，筒状弁部材８）および下流弁作用部（例えば後述の横孔部２ａ，環状弁部材７）のそれぞれを備え、
前記シリンダは、
前記上流弁作用部の上流側の内部空間に、前記正立流入通路および前記倒立流入通路のそれぞれと連通し、かつ前記ピストンの移動に応じて容積が変化する上流側収納空間域（例えば後述のシリンダ内上流側空間域２２）を備え、
操作モード設定操作時の前記ピストンの移動により、前記上流弁作用部が閉じた状態で、前記上流側収納空間域の内容物が前記正立流入通路および前記倒立流入通路の側に逆送される、形にする。
（２）上記（１）において、
前記第１の弁構造および前記第２の弁構造は、
全体として、前記第１の移動弁に対する第１の開口部（例えば後述の開口部１１ａ）が形成された第１の弁座と、前記第２の移動弁に対する第２の開口部（例えば後述の開口部１０ａ）が当該第１の開口部と対向する形で形成された第２の弁座とを有し、
当該第１の開口部および当該第２の開口部それぞれの大きさおよび、当該開口部同士の間隔が、
正立状態と倒立状態の変更にともなって、当該開口部の方に落下する当該第１または当該第２の移動弁の一方が当該変更前の落下位置に残ったままの当該第１または当該第２の移動弁の他方に衝突する態様に設定された、形にする。
（３）操作部（例えば後述の操作ボタン１）と連動するピストン（例えば後述のピストン３１）のシリンダ（例えば後述のシリンダ５）内での移動に基づく弁作用により当該シリンダ内の収納空間域（例えば後述のシリンダ内空間域３３）の内容物を外部空間に放出するポンプ作動部と、
前記シリンダへの正立流入通路および、第１の移動弁（例えば後述の下方ボール弁１４）の自重に基づく落下によって当該正立流入通路の一部を開閉する第１の弁構造（例えば後述の弁座１１ｂ）ならびに、当該シリンダへの倒立流入通路および、第２の移動弁（例えば後述の上方ボール弁１３）の自重に基づく落下によって当該倒立流入通路の一部を開閉する第２の弁構造（例えば後述の弁座１０ｂ）を備えた流入通路選択作動部と、からなる正倒立ポンプ機構において、
前記第１の弁構造および前記第２の弁構造は、
全体として、前記第１の移動弁に対する第１の開口部（例えば後述の開口部１１ａ）が形成された第１の弁座と、前記第２の移動弁に対する第２の開口部（例えば後述の開口部１０ａ）が当該第１の開口部と対向する形で形成された第２の弁座とを有し、
当該第１の開口部および当該第２の開口部それぞれの大きさおよび、当該開口部同士の間隔が、
正立状態と倒立状態の変更にともなって、当該開口部の方に落下する当該第１または当該第２の移動弁の一方が当該変更前の落下位置に残ったままの当該第１または当該第２の移動弁の他方に衝突する態様に設定された、形にする。
【００２１】
本発明は、以上の構成からなる正倒立ポンプ機構および、これを備えたポンプ式製品を対象としている。
【発明の効果】
【００２２】
本発明は、このように正倒立変更後も変更前の吸着状態が継続している移動弁を、操作モード設定操作にともなう当該移動弁側への内容物の逆流や、正倒立変更にともなう本来の落下作動を呈する他の移動弁からの衝突力で、吸着解除している。
【００２３】
そのため、正倒立ポンプ機構のシリンダ（ポンプ作動部）への流入通路選択作動部の正立流入通路および倒立流入通路それぞれに設けられた各弁構造の誤作動をなくすことができる。
【００２４】
その結果、操作モードから静止モードへの復帰にともなうシリンダ内の下流側収納空間域・収納空間域（＝次回の放出対象内容物の収納空間域）への容器本体側からの内容物供給動作が確実に行われる。
【発明を実施するための最良の形態】
【００２５】
図１乃至図８を用いて本発明を実施するための最良の形態を説明する。
【００２６】
ここで、
図１は、正倒立ポンプ機構（その１）を備えたポンプ容器全体の正立静止モードを示し、
図２は、図１の正倒立ポンプ機構の拡大図を示し、
図３は、正倒立ポンプ機構（その１）の正立操作モードを示し、
図４は、正倒立ポンプ機構（その１）の倒立静止モード（図１の正立静止モードのときと同じように上方ボール弁１３が上側ブッシュ１０の弁座１０ｂに吸着したままの状態）を示し、
図５は、正倒立ポンプ機構（その１）の倒立操作モードの初期状態を示し、
図６は、正倒立ポンプ機構（その１）の倒立操作モードから倒立静止モードへの復帰途中を示し、
図７は、正倒立ポンプ機構（その２）の正立静止モードを示し、
図８は、正倒立ポンプ機構（その２）の倒立静止モードを示している。
【００２７】
以下のアルファベット付き参照番号の構成要素（例えば放出口１ａ）は原則として、当該参照番号の数字部分の構成要素（例えば操作ボタン１）の一部であることを示している。
【００２８】
図１〜図６の正倒立ポンプ機構（ポンプ式製品）お主たる構成要素は、後述のように操作ボタン１，ピストン４（＝上側ピストン部材２＋下側ピストン部材３），シリンダ５，コイルスプリング６，環状弁部材７，筒状弁部材８，シリンダカバー９，上側ブッシュ１０，下側ブッシュ１１，ブッシュカバー１２，上方ボール弁１３，下方ボール弁１４である。
【００２９】
その他の構成要素としては、チューブ１５，容器本体１６，シール部材１７，パッキン１８およびネジキャップ１９がある。
【００３０】
図１〜図６において、操作ボタンおよびこれの押圧操作により下流側収納空間域の内容物を外部空間に放出するポンプ作動用の構成要素に関し、
１は押下げタイプで上下動可能な操作ボタン（操作部），
１ａは内容物の放出口，
１ｂは当該放出口にいたる操作ボタン内部通路，
２は操作ボタン１と一体化された鞘状の上側ピストン部材（ステム），
２ａは後述の環状弁部材７との間で下流弁の作用を呈する複数の横孔部，
２ｂは当該横孔部の外側に形成された環凹状部，
２ｃは当該横孔部と連通した上側ピストン部材内部通路，
３は上側ピストン部材２に嵌合した鞘状の下側ピストン部材，
３ａは後述の筒状弁部材８との間で上流弁の作用を呈する複数の横孔部，
３ｂは当該横孔部と連通した下側ピストン部材内部通路，
３ｃは当該下側ピストン部材の外周面に形成されて後述のシリンダ５の小径下部内周面に密接する逆スカート部，
４は上側ピストン部材２および下側ピストン部材３からなるピストン，
５は内容物通過・収納用の内部空間域を有してピストン４が大径の上部空間および小径の下部空間を上下動するシリンダ，
５ａは底部に形成された内容物通過用の縦孔部，
５ｂは大径上部外周面に複数形成されて内容物や外気の通路となる縦溝状部，
５ｃは上端面に複数形成されて内容物や外気の通路となる横溝状部，
６はシリンダ５の底面段部と下側ピストン部材３との間に配設されてピストン３を上方向に付勢するコイルスプリング，
７はシリンダ５の内周面と密接する状態で上側ピストン部材２の環凹状部２ｂに取り付けられてその内側の横孔部２ａとの間で下流弁の作用を呈する環状弁部材，
８は下側ピストン部材３の外周面に取り付けられてその横孔部３ａとの間で上流弁の作用を呈する筒状弁部材，
をそれぞれ示している。
【００３１】
シリンダ５への正立流入通路および倒立流入通路を選択的に設定する流入通路選択作動用の構成要素に関し、
９はシリンダ５の下側外周面に嵌合して後述のシリンダ内下流側空間域２１への内容物流入通路を形成するための筒状のシリンダカバー，
９ａはシリンダ５の底面部分の一部と当接してこれを保持する天面部分，
９ｂは当該天面部分から中央下方に続いて後述の上方ボール弁１３の移動範囲を規制するブロック状部，
９ｃは当該ブロック状部の底面側に形成されて倒立状態における上方ボール弁１３を保持する擂鉢状の受け部，
９ｄは当該シリンダカバーの外周面から当該ブロック状部の底面側へといたる倒立時の流入通路，
９ｅは当該シリンダカバーの上側内周面（シリンダ５の外周面と対向する内周面）およびその下側部分から外周面側へと連通する態様で形成されて内容物や外気の通路となる縦方向溝状部，
９ｆは上側外周面に形成された環鍔状部分，
１０はシリンダカバー９のブロック状部９ｂに受け部９ｃおよび流入通路９ｄを挟む形で嵌合して後述の上方ボール弁１３が内部空間に配設される筒状の上側ブッシュ，
１０ａは後述の倒立時用ブッシュ内空間域２４の出口および正立時の上方ボール弁１３のいわば収納空間として作用する開口部，
１０ｂは当該開口部の回りに形成されて正立時の上方ボール弁１３を受ける環テーパ状の弁座，
１０ｃは外周面に複数形成されてシリンダカバー９の内周面に当接する縦方向リブ，
１１はシリンダカバー９の下端側内周面に嵌合して後述の下方ボール弁１４が配設される筒状の下側ブッシュ，
１１ａは後述の正立時用ブッシュ内空間域２５の出口および倒立時の下方ボール弁１４のいわば収納空間として作用する開口部，
１１ｂは当該開口部の回りに形成されて倒立時の下方ボール弁１４を受ける環テーパ状の弁座，
１２は下側ブッシュ１１の下側外周面に嵌合して下方ボール弁１４の移動範囲を規制する筒状のブッシュカバー，
１２ａは正立時の下方ボール弁１４を保持する擂鉢状の受け部，
１２ｂは下側の小径筒状部，
１２ｃは当該小径筒状部から上方に続く正立時の流入通路，
１３はシリンダカバー９（ブロック状部９ｂ）および上側ブッシュ１０により特定される空間域に配設された上方ボール弁，
１４は下側ブッシュ１１およびブッシュカバー１２により特定される空間域に配設された下方ボール弁，
をそれぞれ示している。
【００３２】
ここで、上方ボール弁１３および下方ボール弁１４の直径は上側ブッシュ１０および下側ブッシュ１１の開口部１０ａ，１１ａのそれよりも大きく設定されている。
【００３３】
これらの数値は例えば、
・開口部１０ａ，１１ａの直径は１．８ｍｍ〜３．５ｍｍであり、
・上方ボール弁１３および下方ボール弁１４の直径は２．３８ｍｍ〜３．９７ｍｍ（３／３２インチ〜５／３２インチ）であり、
・上方ボール弁１３および下方ボール弁１４の重さは０．０５ｇ〜０．２５ｇであり、
・開口部１０ａと開口部１１ａとの距離（弁座１０ｂの下端面部分と弁座１１ｂの上端面部分との距離）は０．１ｍｍ〜０．５ｍｍである。
【００３４】
その他の構成要素に関し、
１５はブッシュカバー１２の小径筒状部１２ｂにはめ込まれた内容物流入用のチューブ，
１６は各種内容物が収納された容器本体，
１７はシリンダ５の上端面と後述のネジキャップ１９とに挟持されて内端部分が下方に弾性変位可能な形で上側ピストン部材２の外周面に密接している環状のシール部材，
１８はシリンダカバー９の環鍔状部分９ｆと容器本体１６の上端面との間に挟持された環状のパッキン，
１９は容器本体１６を除く各構成要素と一体化された形で容器本体首部の外周面と螺子結合している筒状のネジキャップ，
をそれぞれ示している。
【００３５】
シリンダ５，シリンダカバー９，ブッシュカバー１２などの内部に形成される空間域に関し、
２１はシリンダ内部空間の下流域（横孔部３ａよりも下流側の空間域）であって次回の放出対象となる内容物が収納されたシリンダ内下流側空間域，
２２はシリンダ内部空間の上流域（縦孔部５ａから横孔部３ａまでの空間域）であってシリンダ内下流側空間域２１と連通可能なシリンダ内上流側空間域，
２３はシリンダ５の縦孔部５ａと上側ブッシュ１０および下側ブッシュ１１の各開口部１０ａ，１１ａとの間に縦方向リブ１０ｃの横空間部分を通る態様で形成された正立時・倒立時それぞれの共用流入空間域，
２４はシリンダカバー９と上側ブッシュ１０との間に形成された倒立時用ブッシュ内空間域，
２５は下側ブッシュ１１とブッシュカバー１２との間に形成された正立時用ブッシュ内空間域，
２６は上方ボール弁１３，下方ボール弁１４とこれに当接（密接）する弁座１０ｂ，１１ｂとの隙間部分であって上述の表面張力作用や内容物固化等作用の対象範囲となるブッシュ内隙間空間域，
をそれぞれ示している。
【００３６】
また、内容物や外気の流れ方向に関し、
Ａは操作ボタン１の押圧操作にともなってシリンダ内下流側空間域２１の内容物が外部空間に放出される、正立時および倒立時に共通する内容物流出方向，
Ｂは操作ボタン１の押圧操作にともなってシリンダ内上流側空間域２２の内容物が上側ブッシュ１０および下側ブッシュ１１の各開口部１０ａ，１１ａへ送られる、正立時および倒立時に共通する内容物移動方向（逆流方向），
Ｃは操作ボタン１の押圧操作解除にともなって容器本体１６の内容物がシリンダ内下流側空間域２１に供給される、正立時の内容物流入方向，
Ｄは操作ボタン１の押圧操作解除にともなって容器本体１６の内容物がシリンダ内下流側空間域２１に供給される、倒立時の内容物流入方向，
Ｅは操作ボタン１の押圧操作解除にともなって外部空間の空気が容器本体１６の内部に供給される、正立時および倒立時に共通する外気流入方向，
をそれぞれ示している。
【００３７】
ここで、
・Ａ方向の内容物流出ルートは「シリンダ内下流側空間域２１−横孔部２ａ−上側ピストン部材内部通路２ｃ−操作ボタン内部通路１ｂ−放出口１ａ」であり、
・Ｂ方向の内容物逆流ルートは「シリンダ内上流側空間域２２−縦孔部５−共用流入空間域２３−開口部１０ａ，１１ａ」であり、
・Ｃ方向の内容物流入ルートは「チューブ１５−正立時用ブッシュ内空間域２５−開口部１１ａ−共用流入空間域２３−縦孔部５ａ−シリンダ内上流空間域２２−下側ピストン部材内部通路３ｂ−横孔部３ａ−シリンダ内下流側空間域２１」であり、
・Ｄ方向の内容物流入ルートは「シリンダカバー流入通路９ｄ−倒立時用ブッシュ内空間域２４−開口部１０ａ−共用流入空間域２３−縦孔部５ａ−シリンダ内上流空間域２２−下側ピストン部材内部通路３ｂ−横孔部３ａ−シリンダ内下流側空間域２１」であり、
・Ｅ方向の外気流入ルートは「操作ボタン１とネジキャップ１９との間の通路域−上側ピストン部材２の外周面とシール部材１７との間−シリンダ５の横溝状部５ｃ−シリンダ５の縦溝状部５ｂ−容器本体内部」である。
【００３８】
上述の操作ボタン１，上側ピストン部材２,下側ピストン部材３，シリンダ５，シリンダカバー９，上側ブッシュ１０，下側ブッシュ１１，ブッシュカバー１２，チューブ１５およびネジキャップ１９は、ポリプロピレン，ポリエチレン，ポリアセタール，ナイロン，ポリブチレンテレフタレートなどの合成樹脂製のものである。容器本体１６は合成樹脂製や硝子製のものである。
【００３９】
なお、コイルスプリング６，上方ボール弁１３および下方ボール弁１４は金属製や合成樹脂製のものである。また、環状弁部材７，筒状弁部材８，シール部材１７およびパッキン１８はゴム製や合成樹脂製のものである。
【００４０】
図１乃至図６の正倒立ポンプ機構の基本的特徴は、
(31)操作ボタン１の押圧操作にともなうピストン４の下動により、（前回の押圧操作終了の際に）シリンダ内上流側空間域２２に収納済みの内容物が共用流入空間域２３を経て上側ブッシュ１０および下側ブッシュ１１の各開口部１０ａ，１１ａにいたるＢ方向に逆流すること、
(32)ポンプ式製品の正倒立変更時に、上方ボール弁１３および下方ボール弁１４の中でその受け部９ｃ，１２ａから新たに弁座１０ｂ，１１ｂの側へ落下するボール弁が、当該変更前の弁座との当接状態（吸着状態）に保持されたままになっている他方のボール弁に衝突すること、
である。
【００４１】
この内容物逆流作用およびボール弁衝突作用により、正倒立状態変更前の弁座との当接状態に保持（吸着）されたままの上方ボール弁１３または下方ボール弁１４を、積極的に駆動して、その受け部９ｃ，１２ａの方へ落下させるものである。
【００４２】
すなわち、図１などの正立状態では下方ボール弁１４がブッシュカバー１２の受け部１２ａに落下し、図４などの倒立状態では上方ボール弁１３がシリンダカバー９の受け部９ｃに落下する。
【００４３】
このような正倒立状態変更時の被吸着ボール弁に対する駆動落下作用により、正立状態または倒立状態のいずれの場合にも、容器本体１６の内部から上側ブッシュ１０／下側ブッシュ１１および共用流入空間域２３を経てシリンダ５の縦孔部５ａにいたるＣ方向，Ｄ方向の内容物流入通路が確実に担保される。
【００４４】
図１〜図６の正倒立ポンプ機構は上述の内容物逆流作用およびボール弁衝突作用の双方を呈する形になっているが、これら作用の何れか一方のみからなる態様の正倒立ポンプ機構も本発明の対象範囲である。なお、図７，図８の正倒立ポンプ機構はボール弁衝突作用のみが生じる態様である。
【００４５】
図１および図２の正立静止モードでは、
(41)環状弁部材７が上側ピストン部材２の横孔部２ａを、筒状弁部材８が下側ピストン部材３の横孔部３ａをそれぞれ塞いで、ピストン４の下流弁および上流弁がともに閉じ、
(42)上方ボール弁１３が上側ブッシュ１０の弁座１０ｂに当接し、
(43)下方ボール弁１４がブッシュカバー１２の受け部１２ａに当接した、
状態になっている。
【００４６】
そして、容器本体１６の内部から筒状弁部材８までの通路域（チューブ１５−正立時用ブッシュ内空間域２５−共用流入空間域２３−シリンダ内上流側空間域２２−下側ピストン部材内部通路３ｂ−横孔部３ａからなる空間域）およびシリンダ内下流側空間域２１には、それぞれ内容物が連続する状態で収納されている。
【００４７】
これは、上述したように、前回の操作ボタン１の押圧状態からの復帰動作時におけるポンプ機構の周知の吸引作用に基づく。すなわち当該復帰動作にともなうシリンダ内下流側空間域２１の容積増加にともなってそこでの圧力が下がり、その結果、横孔部３ａおよび筒状弁部材８の上流弁が開いて容器本体１６の内容物が上記通路域を経てシリンダ内下流側空間域２１に流入する、すなわちＣ方向ルートで流入するためである。
【００４８】
図１の状態の操作ボタン１が押圧されてこれと一体のピストン４がコイルスプリング５の上方向への付勢力に抗しながら下動すると、環状弁部材７も、その外端部分をシリンダ５の内周面に密接させて、上側ピストン部材２の環凹状部２ｂに挟まれた内端側を図３のように変形させながら下方向に移動する。
【００４９】
このピストン４の下動および環状弁部材７の変形に基づいて、下流弁作用部である横孔部２ａは開状態となり、下側ピストン部材３はその逆スカート部３ｂがシリンダ５の下側小径部分の内周面と確実に密接した状態で下方に移動していく。
【００５０】
そして、この下側ピストン部材３のシリンダ小径部分への移動量に応じて、シリンダ内下流側空間域２１の容積が減少して当該空間域の内容物の圧力が増加する。
【００５１】
その結果、図３に示すように、上流弁作用部である横孔部３ａが筒状弁部材８によって閉状態に維持されたまま、
(51)シリンダ内下流側空間域２１の内容物はＡ方向ルートの流れによって外部空間に放出され、
(52)シリンダ内上流側空間域２２の内容物は、「縦孔部５−共用流入空間域２３」を経て上側ブッシュ１０および下側ブッシュ１１の各開口部１０ａ，１１ａにいたるＢ方向ルートの流れによって送り出される。
【００５２】
上述したように、操作ボタン１の押圧操作時にこのシリンダ内上流側空間域２２の内容物を上側ブッシュ１０および下側ブッシュ１１の方に逆流させる（戻す）ことが、本発明の特徴の一つである。
【００５３】
すなわち下方ボール弁１４が、図示（図１〜図３）の状態とは違って前回の倒立使用時のままで、下側ブッシュ１１の弁座１１ｂに吸着している状態のときは、この内容物のＢ方向への逆流によって下方ボール弁１４が押されて吸着状態は解除される。そして下方ボール弁１４は落下し、図示のようにブッシュカバー１２の受け部１２ａに保持される。
【００５４】
図３の点線Ｃ，Ｅは、操作ボタン１の押圧解除時に、容器本体１６からシリンダ内下流側空間域２１へ供給される内容物の流入方向および、外部空間から容器本体１６へ供給される外気の流入方向をそれぞれ示している。
【００５５】
Ｃ方向のいわば内容物充填流が生じるのは、操作ボタン１の押圧解除にともなってピストン４がコイルスプリング６の付勢作用により上方向に復帰し、シリンダ内下流側空間域２１およびシリンダ内上流側空間域２２それぞれの容積が増加してそこでの内容物圧力が低下するからである。このとき、筒状弁部材８の下部分が内容物充填流の作用で外側に押されて、上流弁作用部の横孔部３ａはシリンダ内下流側空間域２１と連通する。
【００５６】
またＥ方向のいわば外気充填流が生じるのは、シリンダ内下流側空間域２１へ容器本体１６の内容物が供給されるのにともない、容器本体の空気層部分の容積が増加して容器内空気圧力が外気圧力よりも低下するからである。
【００５７】
図４はポンプ式製品を正立状態から倒立状態へと変更した後の様子（倒立静止モード）を示している。
【００５８】
ここで上方ボール弁１３は、正立状態のときと同様の位置にあり、上側ブッシュ１０の弁座１０ｂに保持（吸着）された形になっている。
【００５９】
このときの作用力としては、概略、弁座１０ｂと上方ボール弁１３との間に挟まれたブッシュ内隙間空間域２６に残留する液体内容物の表面張力や、当該空間域に入っていた内容物が定着化，固化したときの保持力などが考えられる。なお、主たる作用が表面張力に基づいていつ場合は、この残留液体内容物の（倒立状態における）直上流側空間（上側ブッシュ内部空間）に空気層が存在している。
【００６０】
また、正立状態のときブッシュカバー１２の受け部１２ａに保持されていた下方ボール弁１４は、自重で図示矢印方向に落下して上方ボール弁１３に当たる。
【００６１】
なお、後述の図７および図８の正倒立ポンプ機構を備えた製品においても正倒立変更後の良好な内容物放出動作の検証結果が得られている。
【００６２】
この検証結果からすれば、図４の弁座１０ｂに吸着したままの上方ボール弁１３も下方ボール弁１４との衝突により落下する事象が十分に期待できる。
【００６３】
ただ、図１〜図６の正倒立ポンプ機構では、操作ボタン１の押圧操作時のボール弁側へのＢ方向の内容物逆流に基づく被吸着ボール弁の落下作用の点に一義的に着目して説明する。
【００６４】
この内容物逆流による落下作用が、正倒立変更後の上方ボール弁１３と下方ボール弁１４との間での衝突を生じ得ない構造になっている正倒立ポンプ機構にも妥当する、のは勿論である。
【００６５】
図５は図４の倒立状態の操作ボタン１を押圧した初期状態を示している。この押圧にともなうピストン４の（図５における上方向への）移動により、上述したように、シリンダ内上流空間域２２の内容物がＢ方向に逆流して上方ボール弁１３および下方ボール弁１４をそれぞれ弁座１０ａ，１１ａから離す方向に駆動する。
【００６６】
その結果、上方ボール弁１３はシリンダカバー９の受け部９ｃに落下して保持され、下方ボール弁１４は少し離れてから自重で弁座１１ａに落下し、これにより本来の（操作ボタン押圧解除時の）Ｄ方向の内容物流入ルートが確保される。
【００６７】
また、図５の倒立操作モードにおいて、上述したように、シリンダ内下流側空間域２１の内容物がＡ方向に流れて外部空間に放出されることは勿論である。
【００６８】
図６は倒立操作モードの終了途中、すなわち利用者が操作ボタン１の押圧操作を止めた後のコイルスプリング６の弾性力に基づくピストン復帰途中の状態を示している。
【００６９】
図示のピストン復帰動作では、下流弁作用部の横孔部２ａが環状弁部材７によって閉じられ、上流弁作用部の横孔部３ａは開状態に移行している。
【００７０】
横孔部３ａが「開」となるのは、容器本体側からの内容物流入によりシリンダ内上流側空間域２２での内容物圧力が増加して、筒状弁部材８の横孔部対応部分が自らの弾性に抗しながら外側に広がるためである。
【００７１】
すなわち、シリンダ内上流側空間域２２の容積が増加してそこの内容物圧力が低下し、これにより容器本体１６の内容物がＤ方向ルートでシリンダ内上流空間域２２へと流入して筒状弁部材８への押圧力も大きくなるからである。図示の筒状弁部材８はまだシリンダ５の内周面（小径部分）に当接している。
【００７２】
そしてピストン４がさらに（図６における下方向へ）復帰して筒状弁部材８がシリンダ５の小径部分から離れると、シリンダ内上流空間域２２への上記流入内容物が横孔部３ａを経てシリンダ内下流空間域２１に入りこむ。
【００７３】
最終的には双方の空間域２１，２２の内容物圧力がバランスした状態で、筒状弁部材８は初期状態に弾性復帰して横孔部３ａを閉じる。その結果、閉空間からなるシリンダ内下流空間域２１の中に次の放出対象内容物が収納された状態、すなわち静止モードへと移行する。
【００７４】
図７および図８は、正倒立変更時の（変更前のままの）ボール弁吸着状態を解除するための方策として、もっぱら上方ボール弁１３と下方ボール弁１４との衝突作用を採る正倒立ポンプ機構を示している。この正倒立ポンプ機構では操作ボタン１の押圧操作時にシリンダ内上流空間域２２の内容物をボール弁に逆流させる構成を採用していない。
【００７５】
図１〜図６の正倒立ポンプ機構との基本的な違いは、シリンダ内部空間域に対する上流弁作用部（図１〜図６の場合は横孔部３ａと筒状弁部材８）がピストンではなくシリンダに取り付けられていることである。
【００７６】
すなわち上流弁作用部は移動せず、そのため図１〜図６の正倒立ポンプ機構におけるピストン４の移動に応じて容積が変化するシリンダ内上流空間域２２が存在しない。
【００７７】
図７および図８で新たに用いる参照番号は次の通りであり、その他の参照番号は図１〜図６と同じものを用いる。
【００７８】
図７および図８において、
５’はシリンダ５と同様の機能を備えたシリンダ，
５ａ’は後述のシリンダ底側鞘状部３２の上外周面を保持する筒状部， 
５ｂ’は筒状部５ａ’からその下部外側の径方向にシリンダ内周面まで延びてコイルスプリング６’の受け作用を呈するリブ，
６’はコイルスプリング６と同様の機能を備えたコイルスプリング，
７’は環状弁部材７と同様の機能を備えた環状弁部材，
８’は筒状弁部材８と同様の機能を備えた筒状弁部材，
３１は操作ボタン１と一体化された鞘状のピストン（≒上側ピストン部材２），
３１ａは環状弁部材７’との間で下流弁の作用を呈する複数の横孔部，
３１ｂは当該横孔部の外側に形成された環凹状部，
３１ｃは当該横孔部と連通したピストン内部通路，
３２はシリンダ５’の下開口部に取り付けられたシリンダ底側鞘状部，
３２ａは縦方向内部通路，
３２ｂは当該縦方向内部通路と連通して筒状弁部材８’との間で上流弁の作用を呈する複数の横孔部，
３３はシリンダ５’，シリンダ底側鞘状部３２とピストン３１との間に形成されるシリンダ内空間域，
Ａ’は内容物流出方向Ａと同様のルートについての、正立時および倒立時に共通する内容物流出方向，
Ｃ’は内容物流出方向Ｃと同様のルートについての、正立時の内容物流入方向，
Ｄ’は内容物流出方向Ｄと同様のルートについての、倒立時の内容物流入方向，
をそれぞれ示している。
【００７９】
ここで、
・Ａ’方向の内容物流出ルートは「シリンダ内空間域３３−横孔部３１ａ−ピストン内部通路３１ｃ−操作ボタン内部通路１ｂ−放出口１ａ」であり、
・Ｃ’方向の内容物流入ルートは「チューブ１５−正立時用ブッシュ内空間域２５−開口部１１ａ−共用流入空間域２３−縦方向内部通路３２ａ−横孔部３２ｂ−シリンダ内空間域３３」であり、
・Ｄ’方向の内容物流入ルートは「シリンダカバー流入通路９ｄ−倒立時用ブッシュ内空間域２４−開口部１０ａ−共用流入空間域２３−縦方向内部通路３２ａ−横孔部３２ｂ−シリンダ内空間域３３」である。
【００８０】
上述のシリンダ５’，ピストン３１およびシリンダ底側鞘状部３２は、ポリプロピレン，ポリエチレン，ポリアセタール，ナイロン，ポリブチレンテレフタレートなどの合成樹脂製のものである。
【００８１】
なお、コイルスプリング６’は金属製や合成樹脂製のものであり、環状弁部材７’および筒状弁部材８’はゴム製や合成樹脂製のものである。
【００８２】
図７，図８の正倒立ポンプ機構の場合、図１〜図６の正倒立ポンプ機構における下側ピストン部材３が捨象され、これの代わりにシリンダ底側鞘状部３２を設けた形態になっている。そのため、操作ボタン１の押圧操作時に上記Ｂ方向の内容物の逆流が生じることはない。
【００８３】
図７の正立状態のポンプ式製品を図８のように倒立させた場合には下方ボール弁１４が落下する。
【００８４】
そのため、この倒立状態への変更後も上方ボール弁１３が正立時のまま、すなわち上側ブッシュ１０の弁座１０ｂに当接（吸着）したままであっても、下方ボール弁１４が上方ボール弁１３に衝突して当該上方ボール弁を弁座１０ｂからシリンダカバー９の受け部９ｃへと落下させる。
【００８５】
この上方ボール弁１３の落下により、操作ボタン１の放出操作解除時の容器本体内部からシリンダ内空間域３３へのＤ’方向の内容物流入ルートが確保される。
【００８６】
ポンプ式製品を図８の倒立状態から図７の正立状態に変更する場合も、図７から図８へのシフトのときと同じように、自重で落下する上方ボール弁１３が、倒立時のままで下側ブッシュ１１の弁座１１ｂに当接（吸着）したままの下方ボール弁１４に衝突してこれを弁座１１ｂからブッシュカバー１２の受け部１２ａへと落下させる。
【００８７】
図７の正立静止モードおよび図８の倒立静止モードにおける操作ボタン１の押圧が解除されると周知のように、ピストン３１がコイルスプリング６’の弾性力により初期状態に復帰する。
【００８８】
この復帰動作にともなって、容器本体６からシリンダ内空間域３３までのＣ’方向またはＤ’方向のルートによる内容物流入および、外部空間から容器本体１６までのＥ方向のルートによる外気流入がそれぞれ生じる。
【００８９】
なお、操作部は押下げタイプの操作ボタンに限定されないことは勿論である。例えば操作部を、トリガータイプ（回動タイプ）の操作レバーやチルトタイプ（傾斜タイプ）の操作ボタンなどにしてもよい。
【００９０】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００９１】
容器本体に収納する内容物に配合される成分としては例えば、粉状物，油成分，アルコール類，界面活性剤，高分子化合物，各用途に応じた有効成分，水などが挙げられる。
【００９２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００９３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００９４】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００９５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００９６】
高分子化合物としては、メチルセルロース，ゼラチン，デンプン，カゼイン，ヒドロキシエチルセルロース，キサンタンガム，カルボキシビニルポリマーなどを用いる。
【００９７】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００９８】
さらに、上記内容物以外の、懸濁剤，紫外線吸収剤，乳化剤，保湿剤，酸化防止剤、金属イオン封鎖剤なども用いることができる。
【図面の簡単な説明】
【００９９】
【図１】正倒立ポンプ機構（その１）を備えたポンプ容器全体の正立静止モードを示す説明図である。
【図２】図１の正倒立ポンプ機構を拡大した状態を示す説明図である。
【図３】正倒立ポンプ機構（その１）の正立操作モードを示す説明図である。
【図４】正倒立ポンプ機構（その１）の倒立静止モード（図１の正立静止モードのときと同様上方ボール弁１３が上側ブッシュ１０の弁座１０ｂに吸着したままの状態）を示す説明図である。
【図５】正倒立ポンプ機構（その１）の倒立操作モードの初期状態を示す説明図である。
【図６】正倒立ポンプ機構（その１）の倒立操作モードから倒立静止モードへの復帰途中を示す説明図である。
【図７】正倒立ポンプ機構（その２）の正立静止モードを示す説明図である。
【図８】正倒立ポンプ機構（その２）の倒立静止モードを示す説明図である。
【符号の説明】
【０１００】
１：押圧タイプの操作ボタン
１ａ：内容物の放出口
１ｂ：操作ボタン内部通路
２：上側ピストン部材
２ａ：複数の横孔部
２ｂ：環凹状部
２ｃ：上側ピストン部材内部通路
３：下側ピストン部材
３ａ：複数の横孔部
３ｂ：下側ピストン部材内部通路
３ｃ：逆スカート部
４：ピストン
５：シリンダ
５ａ：縦孔部
５ｂ：縦溝状部
５ｃ：横溝状部
６：コイルスプリング
７：環状弁部材
８：筒状弁部材
９：シリンダカバー
９ａ：天面部分
９ｂ：ブロック状部
９ｃ：受け部
９ｄ：倒立時の流入通路
９ｅ：縦方向溝状部
９ｆ：環鍔状部分
１０：上側ブッシュ
１０ａ：開口部
１０ｂ：弁座
１０ｃ：縦方向リブ
１１：下側ブッシュ
１１ａ：開口部
１１ｂ：弁座
１２：ブッシュカバー
１２ａ：受け部
１２ｂ：小径筒状部
１２ｃ：正立時の流入通路
１３：上方ボール弁
１４：下方ボール弁
１５：チューブ
１６：容器本体
１７：シール部材
１８：パッキン
１９：ネジキャップ
２１：シリンダ内下流側空間域
２２：シリンダ内上流側空間域
２３：共用流入空間域
２４：倒立時用ブッシュ内空間域
２５：正立時用ブッシュ内空間域
２６：ブッシュ内隙間空間域
Ａ：正立時および倒立時に共通する外部空間への内容物流出方向
Ｂ：正立時および倒立時に共通する内容物移動方向（逆流方向）
Ｃ：正立時のシリンダ内部への内容物流入方向
Ｄ：倒立時のシリンダ内部への内容物流入方向
Ｅ：正立時および倒立時に共通する外気流入方向，
【０１０１】
（図７，図８のみで使用）
５’：シリンダ
５ａ’：筒状部
５ｂ’：リブ
６’：コイルスプリング
７’：環状弁部材
８’：筒状弁部材
３１：ピストン
３１ａ：複数の横孔部
３１ｂ：環凹状部
３１ｃ：ピストン内部通路
３２：シリンダ底側鞘状部
３２ａ：縦方向内部通路
３２ｂ：複数の横孔部，
３３：シリンダ内空間域，
Ａ’：正立時および倒立時に共通する外部空間への内容物流出方向，
Ｃ’：正立時のシリンダ内部への内容物流入方向，
Ｄ’：倒立時のシリンダ内部への内容物流入方向，
【図１】
2009143617.tif 000003
【図２】
2009143617.tif 000004
【図３】
2009143617.tif 000005
【図４】
2009143617.tif 000006
【図５】
2009143617.tif 000007
【図６】
2009143617.tif 000008
【図７】
2009143617.tif 000009
【図８】
2009143617.tif 000010